(57)【要約】      （修正有）【課題】通常のゴルフボールと見分けが付き易く、目立つゴルフボールを提供する。【解決手段】ゴルフボールは、通常のゴルフボールよりも密度の低いゴルフボールであって、球状のボール本体の表面に、テープ状の金属箔、金属蒸着テープ、金属箔内包樹脂テープ、光反射テープ、発光テープ、蛍光テープ、蓄光テープ、粘着テープ、及び面ファスナーから成る群から選ばれる少なくとも１つのテープ状材料２が装着される。【選択図】図４
2016002395.tif 000002
【特許請求の範囲】
【請求項１】
通常のゴルフボールよりも密度の低いゴルフボールであって、
球状のボール本体の表面に、テープ状の金属箔、金属蒸着テープ、金属箔内包樹脂テープ、光反射テープ、発光テープ、蛍光テープ、蓄光テープ、粘着テープ、及び面ファスナーから成る群から選ばれる少なくとも１つのテープ状材料が装着されることを特徴とするゴルフボール。
【請求項２】
前記ボール本体の表面に溝部が設けられ、
前記テープ状材料は、前記溝部に装着される、
ことを特徴とする請求項１に記載のゴルフボール。
【請求項３】
前記溝部は、前記ボール本体の表面に測地線上に設けられる、
ことを特徴とする請求項１又は２に記載のゴルフボール。
【請求項４】
前記テープ状材料は、前記ボール本体の表面の測地線上に装着される、
ことを特徴とする請求項１に記載のゴルフボール。
【発明の詳細な説明】
【技術分野】
【０００１】
本発明は、ゴルフボールに関し、特に、狭いゴルフ場でプレーするのに好適に使用できるゴルフボールに関する。
【背景技術】
【０００２】
ゴルフボールは、ゴム製の球形の芯材、その芯材の回りに巻き付けられたゴム糸の繊維、及びその表面を覆うゴム製のカバーから構成されている。そして、そのカバーの表面には、直径１乃至３ミリメートル程度の円形の浅いディンプルが略一様に分布するように多数設けられている。このディンプルは、打球時にゴルフボールを高く且つ真っ直ぐに飛ばすために設けられたものである。すなわち、ゴルフは、一般的にはゴルフボールをより遠くへ飛ばす方が望ましいスポーツである。
【０００３】
本格的なゴルフゲームを楽しむには郊外の丘陵地等に造成された広大なゴルフコースへ出向く必要があり、また、プレーに要する時間も長くかかり、費用も甚だ多く要する。そのため、ゴルフ愛好家の中には安直にゴルフを楽しめないという不満を抱いている人が多い。そこで、そうしたゴルフ愛好家の要望に応えるために、比較的小規模なゴルフコースやテニスコート或は屋内運動場を利用したゴルフコースが提案され、それらは「ＯＫゴルフ」或は「ミニゴルフ」と呼ばれるゴルフ施設が実用されるようになっている。
【０００４】
このようなＯＫゴルフ等に使用されるゴルフボールは、軟質ゴム、軟質プラスチック、発泡ポリウレタン、その他の材料で球体が形成されている。そのため、通常のゴルフボールよりも密度が低く、その飛距離が抑制される。このようなゴルフボールは、通常のゴルフボールよりも飛距離は延びないが、狭いゴルフ場でプレーしていても広いゴルフ場でプレーしているのと同等な感触が得られる（例えば、特許文献１を参照。）。
【先行技術文献】
【特許文献】
【０００５】
【特許文献１】実開平０５−００５１５６号公報
【発明の概要】
【発明が解決しようとする課題】
【０００６】
上述したようなＯＫゴルフ等に使用されるゴルフボールは、軟質ゴム、軟質プラスチック、発泡ポリウレタン、その他の材料で球体が形成されており、通常のゴルフボールよりも密度が低いものの、通常のゴルフボールと見た目は同じである。そのため、通常のゴルフボールと見分けが付き難い、という問題点があった。また、あまり目立たない、という問題点があった。
【０００７】
１つの側面において、本発明は、通常のゴルフボールと見分けが付き易く、目立つゴルフボールを提供することを目的とする。
【課題を解決するための手段】
【０００８】
１つの案では、ゴルフボールは、通常のゴルフボールよりも密度の低いゴルフボールであって、球状のボール本体の表面に、テープ状の金属箔、金属蒸着テープ、金属箔内包樹脂テープ、光反射テープ、発光テープ、蛍光テープ、蓄光テープ、粘着テープ、及び面ファスナーから成る群から選ばれる少なくとも１つのテープ状材料が装着されることを特徴とする。
【発明の効果】
【０００９】
実施の形態によれば、通常のゴルフボールと見分けが付き易く、夕暮れ時等でも目立つ。
【図面の簡単な説明】
【００１０】
【図１】第１の実施の形態のゴルフボールの例を示す図である。
【図２】第２の実施の形態のゴルフボールの例を示す図である。
【図３】第３の実施の形態のゴルフボールの例を示す図である。
【図４】第４の実施の形態のゴルフボールの例を示す図である。
【図５】室内練習場の例を示す図である。
【発明を実施するための形態】
【００１１】
以下、図面を参照しながら、本発明を実施するための形態について詳細に説明する。
図１は、第１の実施の形態のゴルフボールの例を示す図である。
図１において、ゴルフボール１は、通常のゴルフボールと同様、直径が４２．６７ｍｍ以下の球状である。ゴルフボール１は、重さが約２５ｇ乃至２８ｇ程度である。通常のゴルフボールの重さが４５．９３ｇ以下であるので、ゴルフボール１は、通常のゴルフボールよりも軽く、密度が低い。ゴルフボール１は、その表面に、テープ状の金属箔、金属蒸着テープ、金属箔内包樹脂テープ、光反射テープ、発光テープ、蛍光テープ、蓄光テープ、粘着テープ、及び面ファスナーから成る群から選ばれる少なくとも１つのテープ状材料２が直線状に装着される。
【００１２】
図１において、テープ状材料２は、例えば、幅が約３ｍｍ、長さが約４０ｍｍであり、ボール本体の表面の測地線上に４本装着される。
図２は、第２の実施の形態のゴルフボールの例を示す図である。
【００１３】
図２において、ゴルフボール１の表面に装着されるテープ状材料２は、例えば、幅が約３ｍｍ、長さが約８０ｍｍであり、ボール本体の表面の測地線上に２本装着される。
図３は、第３の実施の形態のゴルフボールの例を示す図である。
【００１４】
図３において、ゴルフボール１の表面に装着されるテープ状材料２は、例えば、幅が約３ｍｍ、長さが約６０ｍｍであり、ボール本体の表面の測地線上に３本装着される。
図４は、第４の実施の形態のゴルフボールの例を示す図である。
【００１５】
図４において、ゴルフボール１の表面には、溝部が設けられている。溝部は、例えば、ゴルフボール１の表面に測地線上に設けられる。
ゴルフボール１は、その溝部に、テープ状の金属箔、金属蒸着テープ、金属箔内包樹脂テープ、光反射テープ、発光テープ、蛍光テープ、蓄光テープ、粘着テープ、及び面ファスナーから成る群から選ばれる少なくとも１つのテープ状材料２が直線状に装着される。
【００１６】
上述した第１乃至第４の実施の形態において、測地線とは、直線の概念を曲がった空間において一般化したものである。球体であるゴルフボール１の場合、球面と平面が交わる際の共通部分である円のうち、平面が球の中心を通る場合にできる、いわゆる大円の一部が測地線となる。したがって、直線状であるテープ状材料２は、ボール本体の表面又は溝部の測地線上に、容易に装着することが出来る。
【００１７】
このように，テープ状材料２がゴルフボール１のボール本体の表面又は溝部に装着されているので、通常のゴルフボールと見分けが付き易く、目立つ。また、テープ状材料２は、ゴルフボール１に全体的に装着されているため、ゴルフボール１をどの方向から見ても確認することが可能となる。特に、テープ状材料２が、テープ状の金属箔、金属蒸着テープ、金属箔内包樹脂テープ、光反射テープ、発光テープ、蛍光テープ、又は蓄光テープの何れかである場合、テープ状材料２に夜間照明等の光が反射し、夕闇の中でもゴルフボール１をはっきり見ることが出来る。
【００１８】
図５は、室内練習場の例を示す図である。
図５において、室内練習場には、同心円状の的が表示された布製のスクリーン４が設定されている。また、的が表示されていないスクリーン４を設置し、スクリーン４に仮想ゴルフ場の画像を表示する室内練習場もある。更には、このスクリーン４に向けてゴルファーがゴルフボール１を打つと、ゴルフボール１の速度、方向などを感知して、スクリーン４上にゴルフボール１の進行を表示するシステムもある。
【００１９】
図５のような室内練習場で通常のゴルフボールを用いてフルスイングすると、通常のゴルフボールは、スクリーン４で大きく跳ね返ることがあり危険である。ところが、ゴルフボール１は、テープ状材料２がボール本体の表面又は溝部に装着されているので、通常のゴルフボールと容易に見分けが付く。手で持った場合にも容易に区別が付く。
【００２０】
ゴルフボール１は、通常のゴルフボールよりも軽いので、例え跳ね返ったとしても危険性が極めて低い。また、テープ状材料２が粘着テープ又は面ファスナーの場合、ゴルフボール１がスクリーン４と貼り付き易くなり、大きく跳ね返ることがなくなる。したがって、ゴルファーは、室内練習場でも安心してフルスイングすることが出来る。装着されたテープ状材料２の面積は、ゴルフボール１の表面積に比べて少ないので、ゴルファーがゴルフボール１を打った際の打球感覚には違和感が無い。
【００２１】
以上、開示の実施の形態とその利点について詳しく説明したが、当業者は、特許請求の範囲に明確に記載した本発明の範囲から逸脱することなく、様々な変更、追加、省略をすることができるであろう。
【符号の説明】
【００２２】
１      ゴルフボール
２      テープ状材料
３      溝部
４      スクリーン
【図１】
2016002395.tif 000003
【図２】
2016002395.tif 000004
【図３】
2016002395.tif 000005
【図４】
2016002395.tif 000006
【図５】
2016002395.tif 000007